(57)【要約】【課題】腕や脚を圧迫することなく、血流を促進して、うっ血を防止可能な健康器具を提供する。【解決手段】マッサージを受ける被施術者Ｑが仰向けに寝ることが可能な基盤３と、左右水平状の第１揺動軸心Ｌ１廻りに上下揺動自在に基盤３に設けた伸縮自在な第１揺動部材１と、左右水平状の第２揺動軸心Ｌ２廻りに上下揺動自在に基盤３に設けた伸縮自在な第２揺動部材２と、を備え、第１揺動部材１は、揺動先端部１ａに、被施術者Ｑの腕Ｑａを保持するためのコの字状乃至Ｕ字状の腕保持具11と腕保持具11を左右方向に往復動させる腕振動装置12とが取着され、第２揺動部材２は、揺動先端部２ｂに、被施術者Ｑの脚Ｑｂを保持するためのコの字状乃至Ｕ字状の脚保持具21と脚保持具21を左右方向に往復動させる脚振動装置22とが取着されている。【選択図】図１
0003195060.tif 000002
【実用新案登録請求の範囲】
【請求項１】
マッサージを受ける被施術者（Ｑ）が仰向けに寝ることが可能な基盤（３）と、左右水平状の第１揺動軸心（Ｌ１）廻りに上下揺動自在に上記基盤（３）に設けた伸縮自在な第１揺動部材（１）と、左右水平状の第２揺動軸心（Ｌ２）廻りに上下揺動自在に上記基盤（３）に設けた伸縮自在な第２揺動部材（２）と、を備え、
上記第１揺動部材（１）は、揺動先端部（１ａ）に、上記被施術者（Ｑ）の腕（Ｑａ）を保持するためのコの字状乃至Ｕ字状の腕保持具（11）と該腕保持具（11）を左右方向（Ｗ）に往復動させる腕振動装置（12）とが取着され、
上記第２揺動部材（２）は、揺動先端部（２ａ）に、上記被施術者（Ｑ）の脚（Ｑｂ）を保持するためのコの字状乃至Ｕ字状の脚保持具（21）と該脚保持具（21）を左右方向（Ｗ）に往復動させる脚振動装置（22）とが取着されていることを特徴とする健康器具。
【請求項２】
上記第１揺動軸心（Ｌ１）と同心状に配設され上記第１揺動部材（１）の基端部（１ｂ）に取着する第１軸（31）と、上記第２揺動軸心（Ｌ２）と同心状に配設され上記第２揺動部材（２）の基端部（２ｂ）に取着する第２軸（32）と、を備え、
上記基盤（３）に、上記第１軸（31）と上記第２軸（32）を相対的に前後接近離間可能に設けた請求項１記載の健康器具。
【考案の詳細な説明】
【技術分野】
【０００１】
本考案は、健康器具に関する。
【背景技術】
【０００２】
従来、加圧空気の流入出によって膨縮する空気袋体にて、腕や脚をマッサージして、うっ血を防止する健康器具があった（例えば、特許文献１参照）。
【先行技術文献】
【特許文献】
【０００３】
【特許文献１】特開２００３−３１９９８８号公報
【考案の概要】
【考案が解決しようとする課題】
【０００４】
しかし、空気袋体によるマッサージは、腕や脚を圧迫するため、窮屈感や痛み等を感じる虞れや、皮膚や毛細血管を痛める虞れがあるといった問題があった。
【０００５】
そこで、本考案は、腕や脚を圧迫することなく、血流を促進して、うっ血を防止可能な健康器具の提供を目的とする。
【課題を解決するための手段】
【０００６】
上記目的を達成するために、本考案の健康器具は、マッサージを受ける被施術者が仰向けに寝ることが可能な基盤と、左右水平状の第１揺動軸心廻りに上下揺動自在に上記基盤に設けた伸縮自在な第１揺動部材と、左右水平状の第２揺動軸心廻りに上下揺動自在に上記基盤に設けた伸縮自在な第２揺動部材と、を備え、上記第１揺動部材は、揺動先端部に、上記被施術者の腕を保持するためのコの字状乃至Ｕ字状の腕保持具と該腕保持具を左右方向に往復動させる腕振動装置とが取着され、上記第２揺動部材は、揺動先端部に、上記被施術者の脚を保持するためのコの字状乃至Ｕ字状の脚保持具と該脚保持具を左右方向に往復動させる脚振動装置とが取着されているものである。
【０００７】
また、上記第１揺動軸心と同心状に配設され上記第１揺動部材の基端部に取着する第１軸と、上記第２揺動軸心と同心状に配設され上記第２揺動部材の基端部に取着する第２軸と、を備え、上記基盤に、上記第１軸と上記第２軸を相対的に前後接近離間可能に設けたものである。
【考案の効果】
【０００８】
本考案によれば、腕や脚を挙げてうっ血を引かせた状態で、腕や脚を振らせることができ、血流を促進できる。腕や脚の血管や周辺組織の正常化が図られ、血行を改善してうっ血を防止できる。腕や脚の力が弱い人や不自由な人であっても、心臓よりも高い位置に手先や足先を挙げることができる。腕や脚の長さが異なる様々な被施術者に容易に対応できる。皮膚や毛細血管を痛めずにマッサージできる。
【図面の簡単な説明】
【０００９】
【図１】本考案の実施形態を示す側面図である。
【図２】平面図である。
【図３】図２のＡ−Ａ断面図である。
【図４】使用状態を説明するための側面図である。
【図５】腕保持具の一例を示す斜視図である。
【図６】脚保持具の一例を示す斜視図である。
【図７】腕保持具の他例を示す断面図である。
【考案を実施するための形態】
【００１０】
以下、図示の実施形態に基づき本考案を詳説する。
本考案の健康器具は、図１と図２に示すように、マッサージを受ける被施術者Ｑが、仰向けに寝ることが可能なベッド状の基盤３と、左右水平状の第１揺動軸心Ｌ１廻りに上下揺動自在に基盤３の左右側縁部に夫々設けた伸縮自在な左右一対の第１揺動部材１，１と、左右水平状の第２揺動軸心Ｌ２廻りに上下揺動自在に基盤３の左右側縁部に夫々設けた伸縮自在な左右一対の第２揺動部材２，２と、を備えている。
【００１１】
第１揺動部材１は、揺動先端部１ａに、被施術者Ｑの腕Ｑａを保持するための横断面コの字状の腕保持具11と、その腕保持具11を左右方向Ｗに往復動させる腕振動装置12と、が取着されている。第１揺動部材１の長手方向を、腕Ｑａの長手方向に平行状に設けている。
【００１２】
第２揺動部材２は、揺動先端部２ａに、被施術者Ｑの脚Ｑｂを保持するための横断面コの字状の脚保持具21と、その脚保持具21を左右方向Ｗに往復動させる脚振動装置22と、が取着されている。第２揺動部材２の長手方向を、脚Ｑｂの長手方向に平行状に設けている。
第１・第２揺動部材１，２は、電動アクチュエータやエアーシリンダ等の直動伸縮部材を主材として構成している。
【００１３】
図１に示すように、腕保持具11は、腕Ｑａの指先乃至前腕を保持するように、第１前後寸法Ｋ１を、１５０ｍｍ以上３５０ｍｍ以下に設定している。好ましくは、約２００ｍｍに設定する。
図３に示すように、腕保持具11は、横断面コの字状の保持部11ａと保持部11ａの底壁部11ｆから（揺動前姿勢で）下方へ突出する支柱部11ｂと、を有している。
さらに、保持部11ａの左右側壁部11ｅ，11ｅは内面側に、腕クッション部11ｃ，11ｃを有している。
保持部11ａの左右側壁部11ｅ，11ｅを相対的に左右接近離間可能に設けて、第１左右幅寸法Ｘ１を、調整自在としている。第１左右幅寸法Ｘ１は、保持される腕の最大厚み（左右幅寸法）に５０ｍｍを加えた寸法に調節して位置決めするのが好ましい。
また、左右側壁部11ｅ，11ｅの第１高さ寸法Ｙ１を、１３０ｍｍ以上２３０ｍｍ以下、好ましくは、約１８０ｍｍに設定する。
なお、図６に示すように、保持部11ａ内で、手の平を、手刀を切るように小指側を下、親指側を上とした縦置きに配置するのが望ましい。また、保持部11ａの第１前後寸法Ｋ１を、約２００ｍｍに設定して、指先乃至手首近傍を保持するように形成するのが望ましい。
なお、図７に示すように、腕保持具11は、保持部11ａを、横断面Ｕ字状に設けても良い。保持部11ａは、Ｕ字状の内周面を形成する腕クッション部11ｃを有している。保持部11ａの内周面（腕クッション部11ｃ）の第１曲率半径寸法Ｒ１は、７５ｍｍ以上１５０ｍｍ以下に設定するのが望ましい。
【００１４】
図１に示すように、脚保持具21は、脚Ｑｂのつま先乃至脹脛を保持するように、第２前後寸法Ｋ２を、１５０ｍｍ以上３５０ｍｍ以下に設定している。好ましくは、約２００ｍｍに設定する。
脚保持具21は、横断面コの字状の保持部21ａと、保持部21ａの底壁部21ｆから下方へ突出する支柱部21ｂと、を有している。
図６に示すように、保持部21ａの左右側壁部21ｅ，21ｅは、内面側に、脚クッション部21ｃ，21ｃを有している。保持部21ａの左右側壁部21ｅ，21ｅを相対的に左右接近離間可能に設けて、第２左右幅寸法Ｘ２を、調整自在としている。第２左右幅寸法Ｘ２は、保持される脚の足裏幅寸法ｄに５０ｍｍを加えた寸法に調節して位置決めするのが好ましい。
また、左右側壁部21ｅ，21ｅの第２高さ寸法Ｙ２を、１５０ｍｍ以上２５０ｍｍ以下、好ましくは、約２００ｍｍに設定する。
なお、図示省略するが、脚保持具21は、保持部21ａを、横断面Ｕ字状に設けても良い。保持部21ａは、Ｕ字状の内周面を形成する脚クッション部21ｃを有している。
保持部21ａの内周面（脚クッション部21ｃ）の第２曲率半径寸法は、７５ｍｍ以上１５０ｍｍ以下に設定するのが望ましい。
また、腕保持具11の底壁部11ｆ及び脚保持具21の底壁部21ｆの材質は、木材や低摩擦樹脂等の腕や脚が滑りやすいものが好ましい。
また、腕クッション部11ｃ及び脚クッション部21ｃは、適度な強度と弾力性を有する厚さ約１０ｍｍのスポンジの表面に柔らかい布を貼り付けて（取着して）、振動の衝撃で腕や脚を痛めないようにした構造とするのが望ましい。
【００１５】
図３に示すように、腕振動装置12は、腕保持具11の支柱部11ｂが取着するスライダ51と、スライダ51を直線往復移動可能にガイドするガイドレール52と、を備えたリニアガイド等の直動往復装置50を具備し、さらに、左右方向Ｗに伸縮自在であって直動往復装置50のスライダ51に取着してスライダ51を左右方向Ｗに往復動させるための駆動力を発揮する電動アクチュエータやエアーシリンダ等の直動伸縮部材60と、を備えている。
【００１６】
腕振動装置12は、腕保持具11を３０ｍｍ〜７０ｍｍの振幅Ｊで振動（往復）させる。好ましくは略５０ｍｍで振幅させる。また、腕振動装置12は腕保持具11を、１秒間に４往復〜８往復、好ましくは、６往復させる。
【００１７】
脚振動装置22は、図３に示した腕振動装置12と同様の構成であって、図示省略するが、脚保持具21の支柱部21ｂが取着する直動往復装置50と、直動往復装置50のスライダ51に取着してスライダ51を左右方向Ｗに往復動させるための直動伸縮部材60と、を備えている。
また、脚振動装置22は、腕振動装置12と同様に、脚保持具21を上述の振幅Ｊで振動させる。脚振動装置22は、脚保持具21を１秒間に４往復〜８往復、好ましくは、６往復させる。
【００１８】
また、図３に示すように、腕振動装置12は、腕保持具11の振幅Ｊを調整するための振幅調整機構70を具備している。振幅調整機構70は、スライダ51の移動を規制するためのボルト型のストッパ部材71と、腕振動装置12のケーシング55に貫設されスライダ51の移動予定軌跡上にストッパ部材71を配設可能な複数のネジ孔72，72と、であって、複数のネジ孔72，72から１つを選択してストッパ部材71を螺着させることで、スライダ51の移動量を規制して、振幅Ｊを調整可能としている。図示省略するが、脚振動装置22も上述の振幅調整機構70を具備している。
【００１９】
図１及び図２に示すように、第１揺動部材１の基端部１ｂに取着すると共に第１揺動軸心Ｌ１と同心状に配設される第１軸31と、第２揺動部材２の基端部２ｂに取着すると共に第２揺動軸心Ｌ２と同心状に配設される第２軸32と、を備えている。
そして、基盤３に、第１軸31と第２軸32を相対的に前後接近離間可能に設けている。言い換えると、第１揺動軸心Ｌ１と第２揺動軸心Ｌ２とを相対的に前後接近離間可能に設けている。
【００２０】
図１乃至図３に示すように、基盤３の左右側壁35，35夫々に、前後方向に沿った長孔35ａ，35ａを貫設し、第１軸31を挿通させ、第１軸31を長孔35ａに沿って前後方向移動固定自在とすることで、第１軸31と第２軸32（第１揺動軸心Ｌ１と第２揺動軸心Ｌ２）の軸間距離Ｓを、調整自在としている。
【００２１】
また、第１揺動部材１と第１軸31の一端部とを固着し、基盤３内部で、第１軸31の他端部を、腕用減速機63を介して腕用電動モータ61に連結し、腕用電動モータ61の回転軸の回転によって第１揺動部材１の揺動先端部１ａを上下揺動自在としている。
【００２２】
また、第２揺動部材２と第２軸32の一端部を固着し、基盤３内部で、第２軸32の他端部を、脚用減速機64を介して脚用電動モータ62に連結し、脚用電動モータ62の回転軸の回転によって第２揺動部材２の揺動先端部２ａを上下揺動自在としている。
【００２３】
図４に示すように、第１揺動部材１は、水平面に対する第１揺動角度θａが、６５度以下、好ましくは、６０度以下の範囲で揺動・固定可能に設けている。
第２揺動部材２は、水平面に対する第２揺動角度θｂが、５０度以下、好ましくは、４５度以下の範囲で揺動・固定可能に設けている。
【００２４】
また、図３に示すように、腕用電動モータ61及び腕用減速機63は、前後移動自在なベース部材65に設けている。
ベース部材65は、前後位置調整用電動モータ（図示省略）によって回転する車輪やギヤ等の左右一対の回転部材66，66を、前後方向に沿った左右一対のレールやラック等のガイド部材67，67に沿って回転（走行）させることで、第１揺動部材１を電動にて前後方向位置調整自在としている。前後位置調整用電動モータの電動ブレーキによって、ベース部材65が前後移動不可能となって、第１揺動部材１の前後位置が位置決めされる。
【００２５】
また、基盤３内部に、第１揺動部材１と第２揺動部材２の揺動・停止、第１揺動部材１と第２揺動部材２の伸縮、腕振動装置12と脚振動装置22の振動・停止、軸間距離Ｓの調整等を制御するためのＣＰＵやＲＯＭやＲＡＭ等を有する制御部６（図２参照）を、備えている。
【００２６】
また、第１揺動部材１と第２揺動部材２を、揺動・停止させるためセットスイッチと、腕振動装置12と脚振動装置22を作動させて腕保持具11や脚保持具21を振動させるための振動開始スイッチと、第１揺動部材１の第１伸縮寸法Ｅ１や第２揺動部材２の第２伸縮寸法Ｅ２の伸縮調整スイッチと、軸間距離Ｓを設定するためのピッチ調整スイッチと、マッサージ開始スイッチと、強制停止スイッチ等と、を有し、制御部６に命令するための操作部５（図１又は図２参照）を、マッサージ前仰向け状態の被施術者Ｑの腕Ｑａ近傍に配設している。電気配線は図示省略している。
【００２７】
なお、本考案は設計変更可能であって、基盤３は、上面（寝床）を所定高さにするための脚部材を有するものであっても良い。第２軸32（第２揺動軸心Ｌ２）と脚用減速機64と脚用電動モータ62とを前後移動自在に設けても良い。また、第１・第２揺動部材１，２は、外筒部材と外筒部材に挿入される芯部材を有し、手動によって伸縮自在に構成した手動用伸縮部材を主材とするも良い。第１揺動部材１を第１軸31にて基盤３に枢設し、第２揺動部材２を第２軸32にて基盤３に枢設して、手動にて揺動・固定自在に設けても良い。また、第１軸31及び第２軸32の前後位置を手動にて移動・固定自在に設けても良い。つまり、第１揺動部材１と第２揺動部材２の揺動・停止、第１揺動部材１と第２揺動部材２の伸縮、軸間距離Ｓの調整等を、手動によって行うように構成するも良い。また、腕振動装置12及び脚振動装置22は、直動伸縮部材60を省略しスライダ51が自走するものや、直動往復装置50を省略して直動伸縮部材60に直接的に腕保持具11や脚保持具21を取着したもの等自由である。また、振幅調整機構70は、ストッパ部材71を左右方向Ｗに螺進退させることで振幅を調整する機構や、直動伸縮部材60の伸縮寸法やスライダ51の自走距離を制御することで振幅を調整する機構等自由である。また、腕用電動モータ61は、左右個別に設けず共用（１つ）とするも良い。脚用電動モータ62は、左右個別に設けず共用（１つ）とするも良い。第１揺動部材１と第２揺動部材２の揺動駆動力源は、電動アクチュエータやエアーシリンダ等の伸長による押し上げや短縮により引下げとするも良い。なお、エアーシリンダを設ける場合は、エアーポンプ及びエアータンクを基盤３内に設けるのが望ましい。腕保持具11は、腕の一部又は全部を保持可能なものであれば良く、脚保持具21は、脚の一部又は全部を保持可能なものであれば良い。
【００２８】
次に、本考案の健康器具の使用方法（作用）について説明する。
基盤３上に被施術者Ｑを仰向けに寝かせる。被施術者Ｑ又は器具管理者が、操作部５のマッサージ開始スイッチを操作した後の所定準備時間内に、或いは、操作する前に、図１に示すように、腕Ｑａを腕保持具11に載置すると共に、脚Ｑｂを脚保持具21に載置させて、保持させる。
【００２９】
所定準備時間が経過すると、図４に示すように、第１揺動部材１が所定の第１揺動角度θａ（例えば、約６０度）に傾斜し、腕Ｑａを所定の第１揺動角度θａをもった傾斜状に持ち上げると共に、第２揺動部材２が所定の第２揺動角度θｂ（例えば、約４５度）まで傾斜して、脚Ｑｂを所定の第２揺動角度θｂをもった傾斜状に持ち上げる。
【００３０】
腕や脚を持ち上げて、所定待機時間経過すると、腕振動装置12及び脚振動装置22が所定振動時間作動する。所定振動時間経過後、第１揺動部材１と第２揺動部材２が降下して、図１の状態に戻って、マッサージ（施術）が完了する。
腕保持具11及び脚保持具21はコの字状乃至Ｕ字状であるため、腕や脚の載置や離脱を容易に行うことが可能である。
第１揺動部材１及び第２揺動部材２は、腕保持具11や脚保持具21が腕Ｑａや脚Ｑｂの所定位置（手首近傍や足首近傍）に対応するように、上方揺動する際に伸長し、下方揺動する際に短縮するように設けるのが望ましい。
【００３１】
なお、第１・第２揺動部材１，２を、手動にて揺動させて、第１・第２揺動角度θａ，θｂを調整して、固定し、その後、被施術者Ｑ又は器具管理者が、操作部５の操作にて、腕振動装置12及び脚振動装置22を作動させ、振動後、第１・第２揺動部材１，２を、腕動にて下方へ揺動させも良い。
【００３２】
また、被施術者Ｑ又は器具管理者が、操作部５の操作にて、或いは、手動にて、被施術者Ｑの肩から腰（脚の付け根）の長さに合わせて、軸間距離Ｓの調整を行う。
また、操作部５の操作にて、或いは、手動にて、被施術者Ｑの体格や好みに合わせて、第１・第２揺動部材１，２を伸縮させて腕保持具11や脚保持具21の前後位置調整を行う。
また、操作部５の操作にて、或いは、手動にて、被施術者Ｑの健康状態や好みに合わせて、第１揺動部材１，２の第１・第２揺動角度θａ，θｂの調整を行う。
【００３３】
以上のように、本考案の健康器具は、マッサージを受ける被施術者Ｑが仰向けに寝ることが可能な基盤３と、左右水平状の第１揺動軸心Ｌ１廻りに上下揺動自在に基盤３に設けた伸縮自在な第１揺動部材１と、左右水平状の第２揺動軸心Ｌ２廻りに上下揺動自在に基盤３に設けた伸縮自在な第２揺動部材２と、を備え、第１揺動部材１は、揺動先端部１ａに、被施術者Ｑの腕Ｑａを保持するためのコの字状乃至Ｕ字状の腕保持具11と腕保持具11を左右方向Ｗに往復動させる腕振動装置12とが取着され、第２揺動部材２は、揺動先端部２ｂに、被施術者Ｑの脚Ｑｂを保持するためのコの字状乃至Ｕ字状の脚保持具21と脚保持具21を左右方向Ｗに往復動させる脚振動装置22とが取着されているので、腕や脚を挙げてうっ血を引かせた状態で、腕や脚を振らせることができ、血流を促進できる。腕や脚の血管や周辺組織の正常化が図られ、血行を改善してうっ血を防止できる。腕や脚の力が弱い人や不自由な人であっても、心臓よりも高い位置に手先や足先を挙げることができる。腕や脚の長さが異なる様々な被施術者に容易に対応できる。エアーバッグ等による締付を行わずに血行を促進でき、腕や脚に、痛みや、皮膚に圧迫痕を与えることなく、快適にマッサージを行うことができる。
【００３４】
また、第１揺動軸心Ｌ１と同心状に配設され第１揺動部材１の基端部１ｂに取着する第１軸31と、第２揺動軸心Ｌ２と同心状に配設され第２揺動部材２の基端部２ｂに取着する第２軸32と、を備え、基盤３に、第１軸31と第２軸32を相対的に前後接近離間可能に設けたので、様々な体格の人に対応させて、適切な位置に腕Ｑａや脚Ｑｂを配置して、マッサージを行うことができる。
【符号の説明】
【００３５】
１  第１揺動部材
１ａ  揺動先端部
１ｂ  基端部
２  第２揺動部材
２ａ  揺動先端部
２ｂ  基端部
３  基盤
11  腕保持具
12  腕振動装置
21  脚保持具
22  脚振動装置
31  第１軸
32  第２軸
Ｌ１  第１揺動軸心
Ｌ２  第２揺動軸心
Ｑ  被施術者
Ｑａ  腕
Ｑｂ  脚
Ｗ  左右方向
【図１】
0003195060.tif 000003
【図２】
0003195060.tif 000004
【図３】
0003195060.tif 000005
【図４】
0003195060.tif 000006
【図５】
0003195060.tif 000007
【図６】
0003195060.tif 000008
【図７】
0003195060.tif 000009